【誤訳訂正書】
【提出日】令和2年12月1日(2020.12.1)
【誤訳訂正１】
【訂正対象書類名】明細書
【訂正対象項目名】０００５
【訂正方法】変更
【訂正の内容】
【０００５】
いくつかの例において、本開示に従うカテーテルアセンブリは、医療装置の細長部材（例えば、カテーテルアセンブリのシャフト及び／又はハブ）に、一つ又は複数の接続箇所で取り付けられ、流体送達のための一つ又は複数のルーメンを形成するシースを含む。いくつかの例は、外表面、第一の末端及び第二の末端、第一の末端と第二の末端との間に延在する長さ、並びに細長部材に沿って延在するルーメンを有する細長管状部材（例えば、カテーテルシャフト、バルーンカテーテル等）を有する、カテーテルアセンブリに関する。シースは、細長部材の長さの少なくとも一部を取り囲み、シースは、壁厚、外表面積、第一の弛緩形態、及び第二の加圧形態を含む。いくつかの例において、シースは、シースの反対側にある円周状末端で細長部材に取り付けられ、シースが第二の加圧形態にあるとき、細長部材と協働して、細長部材の長さの少なくとも一部に沿って一つ又は複数のチャネルを形成する。いくつかの例において、シースは、壁厚を通った少なくとも一つのマクロスコピック開口を含む。いくつかの例において、一つ又は複数のマクロスコピック開口の少なくとも一つは、マクロスコピック開口領域を有し、一つ又は複数のマクロスコピック開口のマクロスコピック開口領域は、シースの表面積の２０％以下を占める。
【誤訳訂正２】
【訂正対象書類名】明細書
【訂正対象項目名】００３１
【訂正方法】変更
【訂正の内容】
【００３１】
様々な例において、カテーテルアセンブリ１００は、他の部品を取り入れてもよい。例えば、カテーテルアセンブリ１００は、内部人工器官を取り入れてもよい。内部人工器官は、シース遠位端１１８と細長管状部材遠位端（例えば、カテーテルアセンブリ遠位端１１６）との間の、細長管状部材（例えば、カテーテルシャフト１０２、又はおそらくバルーンカテーテルシャフト）に沿って位置してもよい。これは、様々な点で有利であることがある。例えば、ユーザは、医療処置の間、内部人工器官を移植する前に、カテーテルアセンブリ１００を交換する必要がないことを可能にしてもよい。
【誤訳訂正３】
【訂正対象書類名】明細書
【訂正対象項目名】００３３
【訂正方法】変更
【訂正の内容】
【００３３】
本明細書によるカテーテルアセンブリ１００は、医師又はユーザが、シース１０４に流体を注入し、シース開口１２２及びカテーテルアセンブリ遠位端１１６から出し、（例えば、一つ若しくは複数の潜在的な付着箇所に予防的な水和を適用することによって、又は潜在的な付着箇所の上流の一つ若しくは複数の場所に予防的な水和を適用することによって）脈管壁への付着を防止することを助けることを可能にする。水和は、管組織を水和させてもよく、及び／又は（例えば、カテーテルアセンブリの一つ又は複数の部品が、親水性被覆を含む所、例えば親水性カテーテルシャフトで）カテーテルアセンブリを水和させてもよい。
【誤訳訂正４】
【訂正対象書類名】明細書
【訂正対象項目名】００３４
【訂正方法】変更
【訂正の内容】
【００３４】
更に又は代替的に、カテーテルアセンブリ１００を用いて、シース１０４及び／又はカテーテル１０２が付着する付着箇所７０２において、管（例えば、腸骨動脈）からカテーテルアセンブリ１００を解放することを補助してもよい。再水和は、管組織を水和させてもよく、及び／又は（例えば、カテーテルアセンブリの一つ又は複数の部品が親水性被覆を含む所、例えば親水性カテーテルシャフトで）カテーテルアセンブリを再水和してもよい。注入された流体は、再水和のために付着箇所のすぐ近くに分配されてもよく、又は矢印６０６によって示されるように血流に続くことができる。
【誤訳訂正５】
【訂正対象書類名】特許請求の範囲
【訂正対象項目名】全文
【訂正方法】変更
【訂正の内容】
【特許請求の範囲】
【請求項１】
長さを有するカテーテルアセンブリであって、前記カテーテルアセンブリは：
第一の流路を有する細長部材と；
前記細長部材に沿った、前記細長部材に取り付けられたシースであって、前記シースは、弛緩形態、及び加圧形態を有し、前記細長部材と協働して第二の流路を形成している、シースと；
前記細長部材の長さに沿って、流体を前記第一の流路を通して第一の場所に供給するよう適合された前記第一の流路と連通した、第一の送達ポートと；
前記細長部材の長さに沿って、流体を前記第二の流路を通して第二の場所に供給するよう適合された前記第二の流路と連通した、第二の送達ポートと
を含み、
前記シースは、前記細長部材に沿って前記シースと前記細長部材との間に複数のシースポケットを形成するように、前記細長部材に沿って前記弛緩形態で緩く適合しており、前記複数のシースポケットは局所化しており、前記シースに沿って連続していない、カテーテルアセンブリ。
【請求項２】
前記シースは、前記第一の送達ポート及び前記第二の送達ポートを含むハブに取り付けられている、請求項１に記載のカテーテルアセンブリ。
【請求項３】
前記細長部材はハブに取り付けられている、請求項１又は２に記載のカテーテルアセンブリ。
【請求項４】
前記シースは遠位端を更に含み、前記シースは、前記シースの前記遠位端の近くで前記細長部材に取り付けられている、請求項１〜３のいずれか一項に記載のカテーテルアセンブリ。
【請求項５】
前記シースは、前記細長部材の長さに沿った一部の、外周全体に取り付けられている、請求項１〜４のいずれか一項に記載のカテーテルアセンブリ。
【請求項６】
前記弛緩形態は、前記シースの第一の外周を有し、前記加圧形態は、前記シースの第二の外周を有し、前記第二の外周は、前記第一の外周より大きい、請求項１〜５のいずれか一項に記載のカテーテルアセンブリ。
【請求項７】
前記シースは、内部流体圧の適用に応じて前記加圧形態へと移行し、前記内部流体圧が解放されたとき、前記弛緩形態へと戻り前記加圧形態から離れる、請求項１〜６のいずれか一項に記載のカテーテルアセンブリ。
【請求項８】
体内プロテーゼを更に含む、請求項１〜７のいずれか一項に記載のカテーテルアセンブリ。
【請求項９】
前記細長部材は前記カテーテルアセンブリのシャフトである、請求項１〜８のいずれか一項に記載のカテーテルアセンブリ。
【請求項１０】
前記カテーテルアセンブリは、身体導管の生物学的組織を湿潤させるための少なくとも一つのマクロスコピック開口を有する、請求項１〜９のいずれか一項に記載のカテーテルアセンブリ。
【請求項１１】
外表面、第一の末端及び第二の末端、前記第一の末端と前記第二の末端との間に延在する長さ、並びに前記細長部材に沿って延在するルーメンを有する、細長部材と；
前記細長部材の少なくとも一部の長さを取り囲む、シースと；
を含む、カテーテルアセンブリであって、
前記シースは、壁厚、外表面積、弛緩形態、及び前記シース内への内部流体圧の適用に応じた加圧形態を含み；
前記シースは、少なくとも一つのマクロスコピック開口に対して遠位の場所で、前記細長部材に円周方向に取り付けられており、前記シースは、前記シースの反対側の末端において、カテーテルアセンブリの他の部分に円周方向に取り付けられており、前記シースが前記加圧形態にあるとき、前記シースは前記細長部材と協働してチャネルを形成し；
前記少なくとも一つのマクロスコピック開口は、前記シースの表面積の２０％以下を占めるマクロスコピック開口領域を有し、
前記シースは、前記細長部材に沿って前記シースと前記細長部材との間に複数のシースポケットを形成するように、前記細長部材に沿って前記弛緩形態で緩く適合しており、前記複数のシースポケットは局所化しており、前記シースに沿って連続していない、
カテーテルアセンブリ。
【請求項１２】
前記内部流体圧が解放されたとき、前記シースは前記弛緩形態へと戻り前記加圧形態から離れる、請求項１１に記載のカテーテルアセンブリ。
【請求項１３】
複数の前記マクロスコピック開口が、前記シースの遠位端付近の場所に沿って集まっている、請求項１１又は１２に記載のカテーテルアセンブリ。